(57)【要約】【課題】  光ディスクに記憶されたコンテンツに対して再生指示された場合であっても、自装置中にオリジナルコンテンツが記憶されている場合には、光ディスクの装着を継続することなくオリジナルコンテンツの画像を視聴することが出来る記録再生装置を提供する。【解決手段】  記録再生装置２は受信したコンテンツＸを、記憶部４で第１の鍵１４を用いて暗号化しコンテンツＸ１としてＨＤＤ６に記憶する。複製指示された場合はコンテンツＸ１から所定の種類の情報を抽出し、ＯＤＤ８で第２の鍵１５を用いて符号化したコンテンツＸ２を光ディスク１に書き込む。コンテンツ識別情報ＣＩとディスク識別情報ＤＩとを対応付けて記憶情報管理部５に記憶する。コンテンツＸ２の再生指示された場合は、再生判別部９にて記憶情報管理部５を参照してコンテンツＸ２に対応するコンテンツＸ１がＨＤＤ６に残存するか否かを判別し、残存する場合はＨＤＤ再生部１０にて再生を行う。【選択図】  図２
2010067321.tif 000002
【特許請求の範囲】
【請求項１】
デジタル形式の第１のコンテンツを受信する受信手段と、
前記受信手段により受信した前記第１のコンテンツを自装置に固有の第１の鍵を用いて前記自装置に記憶する第１の記憶手段と、
前記第１の記憶手段により記憶した前記第１のコンテンツから所定の種類の情報を抽出した第２のコンテンツを、前記自装置とは別体の記憶媒体に、この記憶媒体に固有の第２の鍵を用いて前記記憶媒体に記憶する複製手段と、
前記複製手段により前記第２のコンテンツを前記記録媒体に記憶する場合に、前記第１のコンテンツの識別情報と前記記憶媒体の識別情報とを対応付けて前記自装置に記憶する第２の記憶手段と、
前記２のコンテンツについて再生指示がされた場合、前記第２の記憶手段により記憶された前記第１のコンテンツの識別情報と前記記憶媒体の識別情報とを用いて、前記再生指示がされた第２のコンテンツの抽出元となった前記第１のコンテンツが前記自装置に記憶されているか否かを判別し、前記第１のコンテンツが前記自装置に記憶されていると判別した場合には、前記自装置の前記第１の鍵を用いて前記自装置に記憶された前記第１のコンテンツを再生する再生手段と
を具備することを特徴とする記録再生装置。
【請求項２】
前記複製手段はＤＶＤ−ＶＲ（Ｄｉｇｉｔａｌ  Ｖｅｒｓａｔｉｌｅ  Ｄｉｓｋ  Ｖｉｄｅｏ  Ｒｅｃｏｒｄｉｎｇ）規格に準拠して記憶を行うことを特徴とする請求項１に記載の記録再生装置。
【請求項３】
前記自装置中で記憶を行う装置はハードディスクであり、前記記憶媒体は光ディスクであることを特徴とする請求項１又は請求項２に記載の記録再生装置。
【請求項４】
受信したデジタル形式の第１のコンテンツを自装置に固有の第１の鍵を用いて前記自装置に記憶させ、
複製指示がされた場合に、前記第１のコンテンツの識別情報と、前記自装置とは別体である複製先の記憶媒体の識別情報を対応付けて前記自装置に記憶させ、且つ前記第１のコンテンツから所定の情報が抽出された第２のコンテンツを前記記憶媒体に固有の第２の鍵を用いて前記記憶媒体に記憶させ、
前記第２のコンテンツについて再生指示がされた場合に、前記自装置に記憶された前記第１のコンテンツの識別情報と前記記憶媒体の識別情報とを用いて、前記再生指示がされた前記第２のコンテンツの抽出元となった前記第１のコンテンツが前記自装置に記憶されているか否かを判別させ、前記第１のコンテンツが前記自装置に記憶されていると判別された場合には、前記自装置の前記第１の鍵を用いて前記自装置に記憶された前記第１のコンテンツを再生させること
を特徴とする記録再生装置の制御方法。
【請求項５】
前記記憶媒体に記憶させる場合はＤＶＤ−ＶＲ規格に準拠して記憶させることを特徴とする請求項４に記載の記録再生装置の制御方法。
【請求項６】
前記自装置中で記憶を行う装置はハードディスクであり、前記記憶媒体は光ディスクであることを特徴とする請求項４又は請求項５に記載の記録再生装置の制御方法。
【発明の詳細な説明】
【技術分野】
【０００１】
本発明は、コンテンツの記憶及び再生を制御する記録再生装置に関する。
【背景技術】
【０００２】
コンテンツの著作権保護の観点から、デジタルテレビジョン放送のコンテンツにはコピー制御情報が付加されている。１回のみ記憶することを許されたコンテンツ（いわゆるコピーワンスのコンテンツ）に対してムーブ動作を行った場合、コピーワンス規定を遵守しながらも、記録再生装置内蔵ハードディスク装置（以下、「内蔵ＨＤＤ」と記す）にコンテンツを残して使い勝手を向上させた技術として以下のものが知られている。
【０００３】
即ち、内蔵ＨＤＤから着脱可能な光ディスクへとムーブ動作を行う際に、夫々に対して光ディスクの鍵を用いてコンテンツを暗号化して記憶させる。
【０００４】
この手法を用いることで、内蔵ＨＤＤに記憶されたコンテンツの再生中は、鍵を有する光ディスクを記録再生装置に装着している必要がある。これによりコンテンツの著作権を保護し、ムーブをしても内蔵ＨＤＤにコンテンツを残すことが可能になる。且つ光ディスクによる再生よりも再生速度の速い内蔵ＨＤＤにより再生できるものである（例えば特許文献１参照）。
【特許文献１】特開２００６−８５８１５（第９頁、図２）
【発明の開示】
【発明が解決しようとする課題】
【０００５】
コピーワンス規定緩和の暫定措置として、現在ダビング１０規定が運用されており、従来のコピーワンスの場合に比して複製回数の条件が緩和されている。従って、内蔵ＨＤＤに記憶したコンテンツと（以下、「オリジナルコンテンツ」とも言う）、この内蔵ＨＤＤのコンテンツを複製元として、光ディスクに複製したコンテンツ（以下、「コピーコンテンツ」とも言う）の２つコンテンツを同時に保管することが可能となった。
【０００６】
一方、内蔵ＨＤＤから光ディスクに複製する場合には、例えばＤＶＤ−ＶＲ（Ｄｉｇｉｔａｌ  Ｖｅｒｓａｔｉｌｅ  Ｄｉｓｋ  Ｖｉｄｅｏ  Ｒｅｃｏｒｄｉｎｇ）等の所定のルールに準拠して複製されるために、光ディスクに記憶されるコンテンツは映像データ等の所定の情報のみを抽出している。即ち、コピーコンテンツは、オリジナルコンテンツよりも情報量が少ないものとなっている。
【０００７】
従って、光ディスクに記憶されているコンテンツを再生しようとする場合において、記録再生装置内の内蔵ＨＤＤ内にオリジナルコンテンツを有している場合には、情報量が多いオリジナルコンテンツを再生してコンテンツを視聴したいという要求がある。
【０００８】
しかしながら、上述した技術では、複数回の複製が可能なダビング１０を採用した現時点においてでさえも、光ディスクを挿入させたままの必要がある。即ち、上述した技術ではダビング１０規定で受信していたコンテンツであるにも関わらず内蔵ＨＤＤに記憶されたコンテンツの再生中には必ず光ディスクを装着していることが必要となり、却って使い勝手が悪くなってしまうという問題点があった。
【０００９】
そこで本発明は上記問題点を解決するためになされたものであり、光ディスクに記憶されたコンテンツに対して再生指示がされた場合であっても、自装置中に抽出元であるオリジナルコンテンツが記憶されている場合には、光ディスクの装着を継続することなくオリジナルコンテンツの画像を視聴することが出来る記録再生装置を提供することを目的とする。
【課題を解決するための手段】
【００１０】
上記目的を達成するために、本発明に係る記録再生装置は、デジタル形式の第１のコンテンツを受信する受信手段と、前記受信手段により受信した前記第１のコンテンツを自装置に固有の第１の鍵を用いて前記自装置に記憶する第１の記憶手段と、前記第１の記憶手段により記憶した前記第１のコンテンツから所定の種類の情報を抽出した第２のコンテンツを、前記自装置とは別体の記憶媒体に、この記憶媒体に固有の第２の鍵を用いて前記記憶媒体に記憶する複製手段と、前記複製手段により前記第２のコンテンツを前記記録媒体に記憶する場合に、前記第１のコンテンツの識別情報と前記記憶媒体の識別情報とを対応付けて前記自装置に記憶する第２の記憶手段と、前記２のコンテンツについて再生指示がされた場合、前記第２の記憶手段により記憶された前記第１のコンテンツの識別情報と前記記憶媒体の識別情報とを用いて、前記再生指示がされた第２のコンテンツの抽出元となった前記第１のコンテンツが前記自装置に記憶されているか否かを判別し、前記第１のコンテンツが前記自装置に記憶されていると判別した場合には、前記自装置の前記第１の鍵を用いて前記自装置に記憶された前記第１のコンテンツを再生する再生手段とを具備することを特徴としている。
【００１１】
また、本発明に係る記録再生装置の制御方法は、受信したデジタル形式の第１のコンテンツを自装置に固有の第１の鍵を用いて前記自装置に記憶させ、複製指示がされた場合に、前記第１のコンテンツの識別情報と、前記自装置とは別体である複製先の記憶媒体の識別情報を対応付けて前記自装置に記憶させ、且つ前記第１のコンテンツから所定の情報が抽出された第２のコンテンツを前記記憶媒体に固有の第２の鍵を用いて前記記憶媒体に記憶させ、前記第２のコンテンツについて再生指示がされた場合に、前記自装置に記憶された前記第１のコンテンツの識別情報と前記記憶媒体の識別情報とを用いて、前記再生指示がされた前記第２のコンテンツの抽出元となった前記第１のコンテンツが前記自装置に記憶されているか否かを判別させ、前記第１のコンテンツが前記自装置に記憶されていると判別された場合には、前記自装置の前記第１の鍵を用いて前記自装置に記憶された前記第１のコンテンツを再生させることを特徴としている。
【発明の効果】
【００１２】
本発明によれば、光ディスクに記憶されたコンテンツに対して再生指示がされた場合、自装置中に抽出元であるオリジナルコンテンツが記憶されている場合には、光ディスクの装着を継続することなくオリジナルコンテンツの画像を視聴することが出来る。
【発明を実施するための最良の形態】
【００１３】
以下、本発明の実施の形態について図１〜図６を用いて説明する。
【００１４】
図１は、本発明の実施の形態における記録再生装置２の概念図である。記録再生装置２は、少なくとも記憶機能と、複製機能と、再生機能との３つの機能を有している。記録再生装置２の記憶機能は、放送局１２からの電波に載せて放送されるデジタルテレビジョン放送等のコンテンツを、アンテナ１３を介して受信し、記録再生装置２内に内蔵されている記憶装置である後述するＨＤＤ（ハードディスクドライブ）６に記憶する。尚、記録再生装置２は、放送局１２から配信されるコンテンツをＩＰネットワーク経由でも受信するように構成しても良く、この場合も同様にＨＤＤ６に記憶する。
【００１５】
記録再生装置２の複製機能は、挿入された光ディスク１に対して記録再生装置２のＨＤＤ６に記憶しているコンテンツを光ディスク１に複製（コピー）する。
【００１６】
記録再生装置２の再生機能は、ＨＤＤ６又は光ディスク１に記憶されている指定されたコンテンツを再生し、記録再生装置２に接続されたテレビ等の表示装置１００に出力する。
【００１７】
尚、ＨＤＤ６は、例えば半導体メモリ等の他の記憶装置でも良い。また、光ディスク１はＳＤ（Ｓｅｃｕｒｅ  Ｄｉｇｉｔａｌ）メモリ等の他の記憶装置でもよい。
【００１８】
図２は、本発明の実施の形態における記録再生装置２の機能ブロックを示した図である。記録再生装置２は、放送受信部３と、記憶部４と、記憶情報管理部５と、ＨＤＤ６と、複製部７と、ＯＤＤ８と、再生判別部９と、ＨＤＤ再生部１０と、光ディスク再生部１１とを主たる構成要素としている。
【００１９】
放送受信部３は、アンテナ１３を介して放送局１２が送出したオリジナルコンテンツ（「コンテンツＸ」と言うことにする）を受信し、受信したコンテンツＸを記憶部４に送出する。また、放送受信部３は、放送局１２が送出したコンテンツＸをＩＰネットワーク経由で受信した場合にも、受信したコンテンツＸを記憶部４に送出する。ここでコンテンツＸは、コピー制御情報ＣＣやコンテンツ識別情報ＣＩが付加されたデジタル形式のコンテンツである。
【００２０】
記憶部４は、記憶情報管理部５に記憶されている記録再生装置２に固有の鍵である第１の鍵１４を用いて、放送受信部３から受信したデジタル形式のコンテンツＸを暗号化し（暗号化後のコンテンツを「コンテンツＸ１」と言うことにする）、ＨＤＤ６に送出する。
【００２１】
ここで暗号化とは、記録再生装置２に固有の第１の鍵１４を用いて行い、例え同一の機種であったとしても他の記録再生装置２においては、復号化が不可能であるように変換することである。一方、後述する符号化は、他の記録再生装置２においても復号化が可能である変換を指す。
【００２２】
記憶部４は、受信したコンテンツＸに付随するコピー制御情報ＣＣやコンテンツ識別情報ＣＩを記憶情報管理部５に送出する。コピー制御情報ＣＣとは、コピー不可、１回のみコピー可、１０回コピー可、コピーフリー等のコンテンツのコピー可能回数を示す。例えば有料放送のようにコピー（複製）を防止したいコンテンツではコピー不可又は１回のみコピー可の指定を行い、無料放送のように高度なコピーの防止を施す必要の無いコンテンツでは１０回コピー可又はコピーフリーを指定する。コンテンツ識別情報ＣＩとは、コンテンツを識別するためのコンテンツに固有の識別情報であり、コンテンツＩＤ等と呼ばれることもある。
【００２３】
記憶情報管理部５は情報を記憶・管理する役割を担う。記憶情報管理部５は、第１の鍵１４の他、記憶部４から受信したコピー制御情報ＣＣや、コンテンツ識別情報ＣＩを記憶する。
【００２４】
記憶情報管理部５は、コンテンツのファイル名（ファイル名ＦＮ）と、コンテンツ識別情報ＣＩとを対応付けて記憶・管理する。ファイル名ＦＮは自動付加されるとしてもよいし、ユーザーが定義できるとしても良い。また、記憶情報管理部５は、後述するように、複製の指示がされた場合には光ディスク１の識別情報（ディスク識別情報ＤＩ）をコンテンツ識別情報ＣＩに対応させて記憶する。
【００２５】
図３は、本発明の実施の形態における記憶情報管理部５における情報管理の概念図の例である。図３に示すように、記憶情報管理部５は、ＨＤＤ６に記憶されたコンテンツＸ１のファイル名であるファイル名ＦＮと、コンテンツＸの識別情報であるコンテンツ識別情報ＣＩと、光ディスク１の識別情報であるディスク識別情報ＤＩとを夫々対応付けて記憶することで、これらの情報を管理している。
【００２６】
具体的には、ファイル名ＦＮが「ドラマ」のものは、コンテンツ識別情報ＣＩが「Ａ」を示した内容のコンテンツであり、このコンテンツ識別情報ＣＩが「Ａ」なるコンテンツは、過去にディスク識別情報ＤＩが「α」なる情報を有した光ディスクに複製（コピー）されている。同様に、ファイル名ＦＮが「スポーツ」のものは、コンテンツ識別情報ＣＩが「Ｂ」を示した内容のコンテンツであり、このコンテンツ識別情報ＣＩが「Ｂ」なるコンテンツは、過去にディスク識別情報ＤＩが「β」なる光ディスクに複製（コピー）されている。ファイル名ＦＮが「映画」「バラエティ」のものは、コンテンツ識別情報ＣＩが夫々「Ｃ」「Ｄ」を示した内容のコンテンツである。コンテンツ識別情報ＣＩが「Ｃ」「Ｄ」なるコンテンツは、双方とも過去にディスク識別情報ＤＩが「γ」なる光ディスクに複製（コピー）されていることを示している。
【００２７】
ＨＤＤ６は、記憶部４により暗号化されたコンテンツＸ１を受信して記憶する。尚、ユーザーによる記録再生装置２への操作命令として、ＨＤＤ６上に記憶したコンテンツＸ１を削除する操作命令を受信した場合は、記録再生装置２内の図示せぬ削除部がＨＤＤ６に記憶したコンテンツＸ１と、記憶情報管理部５に記憶したファイル名ＦＮと、コンテンツ識別情報ＣＩと、ディスク識別情報ＤＩ等を削除する。
【００２８】
上述した放送受信部３、記憶部４、受信部５、ＨＤＤ６を用いることで記録再生装置２は、放送局１２から受信したコンテンツＸを記憶する記憶機能としての役割を果たすこととなる。
【００２９】
複製部７は、ユーザーにより記録再生装置２に対して複製の指示がされた場合、ＨＤＤ６に記憶されている暗号化されたコンテンツＸ１を読み込む。複製部７は記憶情報管理部５によって記憶されている第１の鍵１４を読み込み、暗号化されたコンテンツＸ１を復号化して、デジタル形式であるコンテンツＸに戻した上でＯＤＤ８に送出する。複製部７は複製を行う回数に応じて、記憶情報管理部５に記憶しているコピー制御情報ＣＣに対してコピー可能回数を算出した上で、記憶情報管理部５のコピー制御情報ＣＣを更新させる。
【００３０】
ここで記憶情報管理部５に記憶しているコピー制御情報ＣＣにおいて、コピー可能回数がゼロ回を示す場合は、ＨＤＤ６に記憶したコンテンツＸ１と、記憶情報管理部５に記憶したそのファイル名ＦＮと、コンテンツ識別情報ＣＩと、ディスク識別情報ＤＩ等を削除する。この動作により、ＨＤＤ６上に再生させないコンテンツＸ１を残すことなくムーブが実行され、コンテンツＸに付されたコピー制御情報ＣＣが守られる。
【００３１】
ＯＤＤ８は複製先として自装置に光ディスク１が装着されているか否かを判別し、光ディスク１のディスク識別情報ＤＩを記憶情報管理部５に通知する。次にＯＤＤ８は、複製部７から受信したデジタル形式のコンテンツＸを光ディスク１に固有の第２の鍵１５を用いて符号化し（符号化後のコンテンツを「コンテンツＸ２」と言うことにする）、光ディスク１にコンテンツＸ２を書き込む。ここで符号化とはコンテンツＸを光ディスク１に収容できる容量に圧縮することを指す。上述のように、暗号化したコンテンツＸ１は他の記録再生装置２において再生不可能であるが、符号化したコンテンツＸ２は他の記録再生装置２においても再生可能である。符号化形式の例としてＭＰＥＧ（Ｍｏｖｉｎｇ  Ｐｉｃｔｕｒｅ  Ｅｘｐｅｒｔｓ  Ｇｒｏｕｐ）２、ＭＰＥＧ４、ＡＶＣ／Ｈ．２６４（Ａｄｖａｎｃｅｄ  Ｖｉｄｅｏ  Ｃｏｄｉｎｇ）等がある。
【００３２】
再生判別部９は、光ディスク１に記憶されたコンテンツＸ２の再生指示がされたか否かを判別する。次に、再生判別部９はＯＤＤ８で認識した光ディスク１のディスク識別情報ＤＩが記憶情報管理部５に存在するか否かを判別する。次に、再生判別部９は再生指示がされたコンテンツ識別情報ＣＩが記憶情報管理部５に存在するか否かを判別する。また再生判断部９は、光ディスク１のディスク識別情報ＤＩ及び再生指示がされたコンテンツ識別情報ＣＩが記憶情報管理部５に存在するか否かの判別結果を、ＨＤＤ再生部１０や光ディスク再生部１１へ送出する役割も担う。
【００３３】
ＨＤＤ再生部１０は、ＨＤＤ６に記憶されているコンテンツＸ１を復号化して、コンテンツＸを再生する。
【００３４】
光ディスク再生部１１は、光ディスク１に記憶されているコンテンツＸ２を復号化して、復号化したコンテンツ（「コンテンツＸ３」と言うことにする）を再生する。
【００３５】
上述した記憶情報管理部５、ＨＤＤ６、複製部７、ＯＤＤ８を用いることで、記録再生装置２は複製機能としての役割を果たす。また、上述した記憶情報管理部５、ＨＤＤ６、ＯＤＤ８、再生判別部９、ＨＤＤ再生部１０、光ディスク再生部１１を用いることで再生機能としての役割を果たす。
【００３６】
図４は、本発明の実施の形態における記録再生装置２における記憶機能と、複製機能とを使用した場合の記憶されるコンテンツの情報内容を示した図である。図４において、図４（ａ）はＨＤＤ６に記憶された抽出元のコンテンツＸ１の情報内容を示しており、図４（ｂ）は光ディスク１に記憶されたコンテンツＸ２の情報内容を示している。
【００３７】
図４（ａ）に示すようにＨＤＤ６に記憶したコンテンツＸ１は、映像情報１６ａと、データ放送情報１７と、字幕情報１８とから構成され、夫々は記録再生装置２に固有の第１の鍵１４を用いて暗号化されている。映像情報１６は例えば映画やテレビ番組等の映像データである。データ放送情報１７は、例えばコンテンツ内容に関連する情報や、番組と連動した双方向サービス等に関連するデータである。字幕情報１８は、音声を言語に変換したデータや、音声を他言語に翻訳したデータである。
【００３８】
図４（ｂ）に示すように、光ディスク１に記憶した複製先のコンテンツＸ２は、光ディスク１に固有の第２の鍵１５で符号化された映像情報１６ｂのみで構成される。光ディスク１の内、映画やテレビ番組の複製（コピー）には、ＤＶＤ（Ｄｉｇｉｔａｌ  Ｖｅｒｓａｔｉｌｅ  Ｄｉｓｋ）が主に利用されている。コピー制御情報ＣＣが付加されたコンテンツの記憶を行う場合はＣＰＲＭ（Ｃｏｎｔｅｎｔ  Ｐｒｏｔｅｃｔｉｏｎ  Ｒｅｃｏｒｄａｂｌｅ  Ｍｅｄｉａ）と呼ばれる著作権保護技術に対応する必要がある。
【００３９】
ＤＶＤメディアにおいてはＤＶＤ−ＶＲ規格のみがＣＰＲＭへ対応している。このＤＶＤ−ＶＲ規格で複製を行うと、データ放送情報１７や字幕情報１８は複製されず、結果として欠落してしまう。従って、図４（ｂ）に示すように光ディスク１に記憶した複製先のコンテンツＸ２は、光ディスク１に固有の第２の鍵１５で符号化された映像情報１６ｂで構成される。即ち、複製先のコンテンツＸ２はコンテンツＸ１から映像情報部分を対象に抽出したものである。従って、各コンテンツを復号化し再生を行う場合、コンテンツＸ１はデジタル形式のコンテンツＸに逆変換可能であるが、コンテンツＸ２は上記抽出を行っているためコンテンツＸとは異なるコンテンツＸ３に変換することになる。
【００４０】
ここで、第２の鍵１５で符号化した映像情報１６ｂは、第１の鍵１４で暗号化した映像情報１６ａに比して、符号化されたことで画質と音質が劣化している。従って、ＨＤＤ６に記憶されている抽出元のコンテンツＸ１を再生する場合には、データ放送情報１７及び字幕情報１８付きの映像を再生することができる。このコンテンツＸ１は、光ディスク１に記憶されたコンテンツＸ２に比して高品質な映像音声である。
【００４１】
またＨＤＤ６に記憶された抽出元のコンテンツＸ１と光ディスク１に記憶されたコンテンツＸ２とは異なる鍵（第１の鍵１４、第２の鍵１５）で暗号化、または符号化がされているため、ＨＤＤ６と光ディスク１の再生を夫々独立に行うことが可能である。
【００４２】
記憶情報管理部５に記憶されているコピー制御情報ＣＣがゼロ回を示す場合は、複製部７によりＨＤＤ６に記憶されていたコンテンツＸ１は既に削除されているので、光ディスク１に書き込む動作はムーブにあたる。
【００４３】
次に本実施の形態による記録再生装置２の再生動作を説明する。図５は、本発明の実施の形態における記録再生装置２の再生を示したフローチャートである。
【００４４】
はじめにＯＤＤ８が、自装置に光ディスク１が装着されているか否かを判別する（ステップＳ１１）。
【００４５】
その結果、ＯＤＤ８が自装置に光ディスク１が装着されていないと判別した場合には（ステップＳ１１のＮｏ）、ＯＤＤ８が自装置に光ディスク１が装着されたと判別するまで以後の処理は行わない。
【００４６】
ＯＤＤ８が自装置に光ディスク１が装着されていると判別した場合には（ステップＳ１１のＹｅｓ）、再生判別部９が光ディスク１に記憶されたコンテンツＸ２の再生指示がされたか否かを判別する（ステップＳ１２）。
【００４７】
その結果、再生判別部９が光ディスク１に記憶されたコンテンツＸ２の再生指示がされていないと判別した場合には（ステップＳ１２のＮｏ）、再生判別部９が光ディスク１に記憶されたコンテンツＸ２の再生指示がされたと判別するまで以後の処理は行わない。
【００４８】
再生判別部９が光ディスク１に記憶されたコンテンツＸ２の再生指示がされたと判別した場合には（ステップＳ１２のＹｅｓ）、再生判別部９は認識した光ディスク１のディスク識別情報ＤＩが記憶情報管理部５に存在するか否かを判別する（ステップＳ１３）。
【００４９】
その結果、再生判別部９が記憶情報管理部５に該当するディスク識別情報ＤＩが存在しないと判別した場合（ステップＳ１３のＮｏ）、再生判別部９は、光ディスク再生部１１にその旨の通知を送出する（ステップＳ１４ａ）。光ディスク再生部１１は、再生判別部９から該当するディスク識別情報ＤＩが存在しない旨の通知を受け、この通知を受けたことをトリガとして光ディスク１内のコンテンツＸ２を復号化しコンテンツＸ３を再生する（ステップＳ１４ｂ）。
【００５０】
光ディスク再生部１１における再生動作については公知の技術であるので詳述しないが、光ディスク再生部１１は光ディスク１に記憶されたコンテンツＸ２を読み出し、光ディスク１から第２の鍵１５を読み込んで、これを用いて復号化し、コンテンツＸ３を再生する。
【００５１】
この再生により、記録再生装置２に接続された表示装置１００から指定されたコンテンツＸ３が出力される。このステップＳ１４ｂでの再生は、光ディスク１に記憶したコンテンツＸ２を復号化したコンテンツＸ３を再生する為、ＨＤＤ６に記憶されたコンテンツＸ１に比して、データ放送情報１７や字幕情報１８が欠落し、画質と音質の劣った映像が再生されることとなる。
【００５２】
尚、記憶情報管理部５において該当するディスク識別情報ＤＩが存在しない場合とは、その記録再生装置２において記憶を行っていない場合と、その記録再生装置２において記憶を行った場合の内、コンテンツＸ１のムーブ後の場合やユーザーによってＨＤＤ６からコンテンツＸ１が削除された場合に当たる。
【００５３】
一方、再生判別部９がＯＤＤ８において認識した光ディスク１のディスク識別情報ＤＩが記憶情報管理部５に存在すると判別した場合（ステップＳ１３のＹｅｓ）、再生判別部９は再生指示がされたコンテンツ識別情報ＣＩが記憶情報管理部５に存在するか否かを判別する（ステップＳ１５）。
【００５４】
その結果、再生判別部９が再生指示されたコンテンツ識別情報ＣＩが記憶情報管理部５に存在しないと判別した場合（ステップＳ１５のＮｏ）、再生判別部９は、光ディスク再生部１１にその旨の通知を送出する（ステップＳ１６ａ）。光ディスク再生部１１は、再生判別部９から光ディスク１のディスク識別情報ＤＩが存在しない旨の通知を受けて光ディスク１内のコンテンツを既述したステップＳ１４ｂでの処理と同様に再生する（ステップＳ１６ｂ）。
【００５５】
一方、再生判別部９が再生指示されたコンテンツ識別情報ＣＩが記憶情報管理部５に存在すると判別した場合（ステップＳ１５のＹｅｓ）、再生判別部９は、ＨＤＤ再生部１０にその旨の通知を送出する（ステップＳ１７ａ）。ＨＤＤ再生部１０は、再生判別部９から再生指示されたコンテンツ識別情報ＣＩが記憶情報管理部５に存在する旨の通知を受け、この通知を受けたことをトリガとしてＨＤＤ６内のコンテンツＸ１を復号化しコンテンツＸを再生する（ステップＳ１７ｂ）。
【００５６】
このコンテンツＸ１の再生により、記録再生装置２に接続された表示装置１００から指定されたコンテンツＸが出力される。ＨＤＤ再生部１０における再生動作については公知の技術であるので詳述しないが、ＨＤＤ６に記憶されている再生指示されたコンテンツＸ１を読み出し、記録情報管理部５に記憶されている第１の鍵１４を用いて復号化してコンテンツＸに戻し、このコンテンツＸを再生表示する。このためデジタル放送に含まれるデータ放送情報１７・字幕情報１８付き、且つ高品質な映像音声の再生が可能である。
【００５７】
尚、再生指示されたコンテンツ識別情報ＣＩを判別することで複数のコンテンツが光ディスク１に記憶されている場合にも、再生指示されたコンテンツがＨＤＤ再生部１０により再生表示することができる。例えば図３に示したように、ディスク識別情報ＤＩが「γ」である光ディスク１に、コンテンツ識別情報ＣＩが「Ｃ」と「Ｄ」であるコンテンツが記憶されている場合でも、再生指示されたコンテンツ識別情報ＣＩを判別することで再生指示されたコンテンツがＨＤＤ再生部１０で再生できる。
【００５８】
以上のように、本発明の実施の形態における記録再生装置２を用いることで、光ディスク１に記憶されたコピーコンテンツ（コンテンツＸ２）に対して再生指示がなされた場合であっても、自装置中に抽出元であるオリジナルコンテンツ（コンテンツＸ１）が記憶されている場合には、光ディスク１の装着を継続することなくコンテンツＸ１（デジタル放送に含まれるデータ放送情報１７・字幕情報１８付き、且つ高品質な映像音声）を視聴することが出来る。
【００５９】
尚、本実施の形態では、記録再生装置２とは別に表示装置１００を有しているように説明したが、記録再生装置２自身が表示装置１００を有していても良い。
【００６０】
（本発明の実施の形態の変形例）
以下に、本発明の実施の形態の変形例を説明する。上述した記録再生装置２は、ＯＤＤ８を内蔵している構成として説明したが、以下に説明する本変形例のように、ＯＤＤ８を外部装置として、記録再生装置２にＵＳＢ（Ｕｎｉｖｅｒｓａｌ  Ｓｅｒｉａｌ  Ｂｕｓ）等を介して接続しても良い。
【００６１】
図６は、本発明の実施の形態の変形例における記録再生装置２の再生を示したフローチャートである。図６のフローチャートにおいて、図５と同一のステップは同一の符号で示してある。
【００６２】
ＯＤＤ８を記録再生装置２とは別装置とし、ＵＳＢを介して接続する構成とした場合、はじめに再生判別部９はＵＳＢにＯＤＤ８が接続されたか否かを判別する（ステップＳ１０）。
【００６３】
その結果、ＵＳＢにＯＤＤ８が接続されていないと判別した場合（ステップＳ１０のＮｏ）、ＵＳＢにＯＤＤ８が接続されたと判別するまで以後の処理は行わない。
【００６４】
一方、ＵＳＢにＯＤＤ８が接続されていると判別した場合（ステップＳ１０のＹｅｓ）、ＯＤＤ８が、自装置に光ディスク１が装着されたか否かを判別する（ステップＳ１１）。ステップＳ１１以降のステップは既述の本実施の形態と同様である。
【００６５】
以上のように、本発明の実施の形態の変形例においても、光ディスク１に記憶されたコピーコンテンツ（コンテンツＸ２）に対して再生指示がされた場合であっても、自装置中に抽出元であるオリジナルコンテンツ（コンテンツＸ１）が記憶されている場合には、光ディスク１の装着を継続することなくコンテンツＸ１（デジタル放送に含まれるデータ放送情報１７・字幕情報１８付き、且つ高品質な映像音声）を視聴することが出来る。
【００６６】
記憶再生装置２に内蔵される記憶装置は、複製先の別体の記憶装置に比して再生速度が速い構成をとることが望ましい。即ち本発明の実施の形態及び変形例により、記録再生装置２に内蔵された記憶装置によるオリジナルコンテンツの再生を行う場合に、高速の再生動作が可能であり更に使い勝手が良いものとなる。
【００６７】
またＨＤＤ６の大容量化に伴い、多くのコンテンツの保存が可能になる反面、ユーザーがＨＤＤ６上に記憶した全コンテンツを把握することは困難である。本実施の形態及びその変形例によれば、ＨＤＤ６上でオリジナルコンテンツ（コンテンツＸ１）を探す手間を取らずに、複製した光ディスク１を挿入するのみで、ＨＤＤ６上のオリジナルコンテンツ（デジタル放送に含まれるデータ放送情報１７・字幕情報１８付き、且つ高品質な映像音声）の再生が可能になる。
【００６８】
更に光ディスク１を装着しＨＤＤ６上のオリジナルコンテンツの再生が開始すれば、光ディスク１を取り外すことができる。従って、光ディスク１を他の記録再生装置においてもコピーコンテンツ（コンテンツＸ２）の再生が可能であり、利便性が高い。
【００６９】
上述の説明において、コンテンツＸは放送局１２から送出されるものとしたが、コンテンツＸの供給源として動画配信を行うウェブサーバー等でも良い。
【図面の簡単な説明】
【００７０】
【図１】本発明の実施の形態における記録再生装置の概念図。
【図２】本発明の実施の形態における記録再生装置の機能ブロックを示した図。
【図３】本発明の実施の形態における記憶情報管理部における情報管理の概念図の例。
【図４】本発明の実施の形態における記録再生装置における記憶機能と、複製機能とを使用した場合の記憶されるコンテンツの情報内容を示した図。
【図５】本発明の実施の形態における記録再生装置の再生を示したフローチャート。
【図６】本発明の実施の形態の変形例における記録再生装置の再生を示したフローチャート。
【符号の説明】
【００７１】
１      光ディスク
２      記録再生装置
３      放送受信部
４      記憶部
５      記憶情報管理部
６      ＨＤＤ
７      複製部
８      ＯＤＤ
９      再生判別部
１０    ＨＤＤ再生部
１１    光ディスク再生部
１２    放送局
１３    アンテナ
１４    第１の鍵
１５    第２の鍵
１６ａ  第１の鍵で暗号化された映像情報
１６ｂ  第２の鍵で符号化された映像情報
１７    第１の鍵で暗号化されたデータ放送情報
１８    第１の鍵で暗号化された字幕情報
１００  表示装置
Ｘ      オリジナルコンテンツ
Ｘ１    第１の鍵で暗号化されたコンテンツ
Ｘ２    第２の鍵で符号化されたコンテンツ
Ｘ３    Ｘ２を復号化したコンテンツ
ＣＣ    コピー制御情報
ＣＩ    コンテンツ識別情報
ＤＩ    ディスク識別情報
ＦＮ    ファイル名
【図１】
2010067321.tif 000003
【図２】
2010067321.tif 000004
【図３】
2010067321.tif 000005
【図４】
2010067321.tif 000006
【図５】
2010067321.tif 000007
【図６】
2010067321.tif 000008